(57)【要約】【課題】印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする。【解決手段】中間データ生成部５０は、中央処理部４０において受け付けられた印刷ジョブに基づいて中間データを生成する。描画処理部６０は、生成された中間データをラスタデータに変換する。印刷制御部６５は、描画処理部６０において変換された画像データに基づいて印刷装置３０を制御する。ジョブ管理部４１およびタスク管理部７０は、ジョブ情報記憶部４３内に記憶されているジョブ情報と、中間データ生成部５０のジョブ制御部５１および描画処理部６０のジョブ制御部６１により記憶されているログ情報を、それぞれ、予め設定された処理の実行後にＨＤＤ７１に保存する。【選択図】図３
2017170789.tif 000002
【特許請求の範囲】
【請求項１】
印刷指示を受付けて管理する管理手段と、
受け付けられた前記印刷指示に基づいて中間形式の印刷データを生成する生成手段と、
前記生成手段により生成された中間形式の印刷データを描画用の画像データに変換する変換手段と、
前記変換手段により変換された画像データに基づいて印刷装置を制御する印刷制御手段と、
前記管理手段により記憶されている前記印刷指示の属性を示す属性情報と、前記生成手段および前記変換手段により記憶されている前記印刷指示の処理状態を示す履歴情報を、それぞれ、予め設定された処理の実行後に不揮発性記憶手段に保存する保存手段と、
を備えた印刷制御装置。
【請求項２】
前記保存手段は、印刷指示が受付けられた場合、受付けた印刷指示が削除された場合、印刷設定内容が更新された場合、または、印刷指示の属性が更新された場合、前記管理手段により記憶されている属性情報を前記不揮発性記憶手段に保存する請求項１記載の印刷制御装置。
【請求項３】
前記保存手段は、前記生成手段により中間形式の印刷データが生成された場合、または、生成された中間形式の印刷データが削除された場合、前記管理手段により記憶されている属性情報と、前記生成手段により記憶されている履歴情報を前記不揮発性記憶手段に保存する請求項１または２記載の印刷制御装置。
【請求項４】
前記保存手段は、前記変換手段により描画用の画像データが変換された場合、変換された描画用の画像データが削除された場合、または印刷指示に基づく印刷処理が完了した場合、前記管理手段により記憶されている属性情報と、前記生成手段および前記変換手段により記憶されている履歴情報を前記不揮発性記憶手段に保存する請求項１から３のいずれか１項記載の印刷制御装置。
【請求項５】
前記履歴情報は、前記生成手段における処理中の印刷指示の処理状態を示す第１の制御情報と、前記変換手段における処理中の印刷指示の処理状態を示す第２の制御情報と、生成された中間形式の印刷データを管理するための第１の管理情報と、変換された描画用の画像データを管理するための第２の管理情報とから構成されている請求項１から４のいずれか１項記載の印刷制御装置。
【請求項６】
前記保存手段は、印刷指示に基づく印刷処理が完了した場合であっても、他の印刷指示に基づく印刷処理が連続して実行される場合には、前記履歴情報のうち前記第１および第２の制御情報を前記不揮発性記憶手段に保存し、前記第１および第２の管理情報を前記不揮発性記憶手段に保存しない請求項５記載の印刷制御装置。
【請求項７】
印刷指示を受付けて管理する管理ステップと、
受け付けられた前記印刷指示に基づいて中間形式の印刷データを生成する生成ステップと、
前記生成ステップにおいて生成された中間形式の印刷データを描画用の画像データに変換する変換ステップと、
前記変換ステップにおいて変換された画像データに基づいて印刷装置を制御する印刷制御ステップと、
前記管理ステップにおいて生成されて記憶されている前記印刷指示の属性を示す属性情報と、前記生成ステップおよび前記変換ステップにおいて生成されて記憶されている前記印刷指示の処理状態を示す履歴情報を、それぞれ、予め設定された処理の実行後に不揮発性記憶手段に保存する保存ステップとをコンピュータに実行させるためのプログラム。
【発明の詳細な説明】
【技術分野】
【０００１】
本発明は、印刷制御装置およびプログラムに関する。
【背景技術】
【０００２】
特許文献１には、入力された印刷情報を、用紙上における物理ページ単位の印刷内容を管理するためのページ属性データと論理ページ単位の印刷内容である論理ページデータとして各メモリに保持しておき、ページ属性データ及び論理ページデータに基づいて、物理ページ単位でビットマップ形式のページバッファへ描画し、描画したページバッファの内容に基づいて用紙上へ転写した後に当該ページバッファを解放し、印刷が正常に終了した後にメモリを解放するようにしたプリンタ装置が開示されている。
【先行技術文献】
【特許文献】
【０００３】
【特許文献１】特開平５−３４５４４９号公報
【発明の概要】
【発明が解決しようとする課題】
【０００４】
印刷ジョブに基づいて印刷処理を実行する印刷システムでは、高速な処理を実現するために、印刷ジョブの処理に必要な各種情報等を揮発性メモリに記憶させて処理を実行している。
【０００５】
そして、システムが正常終了する場合には、揮発性メモリに記憶されていた各種情報はＨＤＤ等の不揮発性記憶部に保存されるため、システム再開後でも元の状態に正常に復帰することができる。
【０００６】
しかし、意図しない電源遮断が発生した場合、揮発性メモリ内の情報は消失してしまうため、電源を再投入してシステムを再起動した場合でもシステムを元の状態に復帰することができなくなってしまう。
【０００７】
そのため、印刷処理の実行中に揮発性メモリ内の各種情報を定期的に不揮発性記憶部に保存する方法のように、各種情報を機械的に保存するような方法が用いられる場合がある。しかし、揮発性メモリ内の情報を不揮発性記憶部に保存する処理を頻繁に行うと本来の印刷処理性能を悪化させてしまうことになる。
【０００８】
特に高速処理が要求される業務用の連続紙印刷装置では、このような印刷処理性能の悪化の許容範囲が狭く、このような印刷処理性能の悪化はできるだけ少なくすることが要求される。
【０００９】
また、このような業務用の印刷装置では、１つの印刷ジョブの処理量が膨大の場合も多く、意図しない電源遮断により再度最初から処理を再実行しなければならないのでは多大な無駄を発生させてしまうことになる。
【００１０】
本発明の目的は、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置およびプログラムを提供することである。
【課題を解決するための手段】
【００１１】
[印刷制御装置］
請求項１に係る本発明は、印刷指示を受付けて管理する管理手段と、
受け付けられた前記印刷指示に基づいて中間形式の印刷データを生成する生成手段と、
前記生成手段により生成された中間形式の印刷データを描画用の画像データに変換する変換手段と、
前記変換手段により変換された画像データに基づいて印刷装置を制御する印刷制御手段と、
前記管理手段により記憶されている前記印刷指示の属性を示す属性情報と、前記生成手段および前記変換手段により記憶されている前記印刷指示の処理状態を示す履歴情報を、それぞれ、予め設定された処理の実行後に不揮発性記憶手段に保存する保存手段とを備えた印刷制御装置である。
【００１２】
請求項２に係る本発明は、前記保存手段が、印刷指示が受付けられた場合、受付けた印刷指示が削除された場合、印刷設定内容が更新された場合、または、印刷指示の属性が更新された場合、前記管理手段により記憶されている属性情報を前記不揮発性記憶手段に保存する請求項１記載の印刷制御装置である。
【００１３】
請求項３に係る本発明は、前記保存手段が、前記生成手段により中間形式の印刷データが生成された場合、または、生成された中間形式の印刷データが削除された場合、前記管理手段により記憶されている属性情報と、前記生成手段により記憶されている履歴情報を前記不揮発性記憶手段に保存する請求項１または２記載の印刷制御装置である。
【００１４】
請求項４に係る本発明は、前記保存手段が、前記変換手段により描画用の画像データが変換された場合、変換された描画用の画像データが削除された場合、または印刷指示に基づく印刷処理が完了した場合、前記管理手段により記憶されている属性情報と、前記生成手段および前記変換手段により記憶されている履歴情報を前記不揮発性記憶手段に保存する請求項１から３のいずれか１項記載の印刷制御装置である。
【００１５】
請求項５に係る本発明は、前記履歴情報が、前記生成手段における処理中の印刷指示の処理状態を示す第１の制御情報と、前記変換手段における処理中の印刷指示の処理状態を示す第２の制御情報と、生成された中間形式の印刷データを管理するための第１の管理情報と、変換された描画用の画像データを管理するための第２の管理情報とから構成されている請求項１から４のいずれか１項記載の印刷制御装置である。
【００１６】
請求項６に係る本発明は、前記保存手段は、印刷指示に基づく印刷処理が完了した場合であっても、他の印刷指示に基づく印刷処理が連続して実行される場合には、前記履歴情報のうち前記第１および第２の制御情報を前記不揮発性記憶手段に保存し、前記第１および第２の管理情報を前記不揮発性記憶手段に保存しない請求項５記載の印刷制御装置である。
【００１７】
［プログラム］
請求項７に係る本発明は、印刷指示を受付けて管理する管理ステップと、
受け付けられた前記印刷指示に基づいて中間形式の印刷データを生成する生成ステップと、
前記生成ステップにおいて生成された中間形式の印刷データを描画用の画像データに変換する変換ステップと、
前記変換ステップにおいて変換された画像データに基づいて印刷装置を制御する印刷制御ステップと、
前記管理ステップにおいて生成されて記憶されている前記印刷指示の属性を示す属性情報と、前記生成ステップおよび前記変換ステップにおいて生成されて記憶されている前記印刷指示の処理状態を示す履歴情報を、それぞれ、予め設定された処理の実行後に不揮発性記憶手段に保存する保存ステップとをコンピュータに実行させるためのプログラムである。
【発明の効果】
【００１８】
請求項１に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置を提供することができる。
【００１９】
請求項２に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置を提供することができる。
【００２０】
請求項３に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置を提供することができる。
【００２１】
請求項４に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置を提供することができる。
【００２２】
請求項５に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とする印刷制御装置を提供することができる。
【００２３】
請求項６に係る本発明によれば、印刷指示が連続して実行される場合でも、後続の印刷指示の開始を遅延させない印刷制御装置を提供することができる。
【００２４】
請求項７に係る本発明によれば、印刷指示に基づく印刷制御を実行する際に生成された各種情報を機械的に不揮発性記憶部に保存する場合と比較して、印刷性能への影響を少なくしつつ、意図しない電源遮断が発生した場合でも元の状態に復帰することを可能とするプログラムを提供することができる。
【図面の簡単な説明】
【００２５】
【図１】本発明の一実施形態の印刷システムのシステム構成を示す図である。
【図２】本発明の一実施形態におけるコントローラ１０のハードウェア構成を示すブロック図である。
【図３】本発明の一実施形態におけるコントローラ１０の機能構成を示すブロック図である。
【図４】本発明の一実施形態におけるコントローラ１０の動作を説明するためのフローチャートである。
【図５】ＨＤＤ７１に保存（同期・退避）される情報の一覧を示す図である。
【図６】ジョブ情報、ログ情報を保存（同期・退避）するタイミング例を示す図である。
【図７】印刷ジョブが連続して実行される場合のジョブ情報、ログ情報を保存（同期・退避）処理例を説明するための図である。
【発明を実施するための形態】
【００２６】
次に、本発明の実施の形態について図面を参照して詳細に説明する。
【００２７】
図１は本発明の一実施形態の印刷システムの構成の一例を示す図である。この印刷システムは、図１に示されるように、連続紙に対して印刷を行う印刷装置３０と、コントローラ（印刷制御装置）１０と、端末装置２０とから構成されている。
【００２８】
端末装置２０は、印刷ジョブ等の印刷指示を生成してネットワーク経由にてコントローラ１０に対して送信する。コントローラ１０は、端末装置２０から送信されてきた印刷指示により印刷装置３０の印刷動作を制御する印刷制御装置として機能する。印刷装置３０は、コントローラ１０による制御に基づいて印刷指示に応じた画像を連続紙上に出力する。
【００２９】
次に、本実施形態の印刷システムにおけるコントローラ１０のハードウェア構成を、図２を参照して説明する。本実施形態のコントローラ１０は、図２に示されるように、ＣＰＵ１１、メモリ１２、ハードディスクドライブ（ＨＤＤ）等の記憶装置１３、ネットワークを介して端末装置２０との間でデータの送信及び受信を行う通信インタフェース（ＩＦ）部１４、タッチパネルや液晶ディスプレイにより構成されたユーザインタフェース（ＵＩ）装置１５、印刷装置３０との間でデータの送受信を行うエンジンＩＦ部１６を有する。そして、これらの構成要素は、制御バス１７を介して互いに接続されている。
【００３０】
ＣＰＵ１１は、メモリ１２または記憶装置１３に格納された印刷制御プログラムに基づいて所定の処理を実行して、コントローラ１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の搬送可能な記憶媒体に格納してＣＰＵ１１に提供することも可能である。
【００３１】
図３は、上記の制御プログラムが実行されることにより実現されるコントローラ１０の機能構成を示すブロック図である。
【００３２】
本実施形態のコントローラ１０は、図３に示されるように、中央処理部４０と、中間データ生成部５０と、描画処理部６０と、タスク管理部７０と、不揮発性記憶手段であるＨＤＤ７１と、ＲＡＭディスクとして構成されているログ情報記憶部７２とから構成されている。
【００３３】
また、中央処理部４０は、ジョブ管理部４１と、ジョブ出力部４２と、ジョブ情報記憶部４３とから構成されている。
【００３４】
また、中間データ生成部５０は、ジョブ制御部５１と、スプール管理部５２と、ＲＩＰ（Raster Image Processing）処理部５３と、中間データ格納部５４とから構成されている。
【００３５】
また、描画処理部６０は、ジョブ制御部６１と、スプール管理部６２と、ラスタライズ処理部６３と、ラスタデータ格納部６４と、印刷制御部６５とから構成されている。
【００３６】
タスク管理部７０は、システム全体の起動・終了処理と、この処理に伴う内部モジュールの起動・終了等の制御や、システム全体の状態管理、各モジュールの優先度設定、ＣＰＵコア管理、その他ログ情報収集時の調整等、システム内部の全体管理を行っている。
【００３７】
そして、システム起動時にタスク管理部７０によって、内部の必要なモジュールが起動され、起動されたモジュールの協調処理によって、印刷処理をはじめとする一連のプリンタコントローラ機能が実現される。
【００３８】
例えば、端末装置２０からネットワークを介して送信されてきた、ページ記述言語により記述された印刷ジョブ（印刷指示）は、先ず中央処理部４０のジョブ管理部４１に登録される。ジョブ管理部４１は、送信されてきた印刷ジョブを受付けて管理する管理手段であり、登録した印刷ジョブの状態を管理しており、ＵＩ（ユーザインタフェース）等からの指示に基づいて、登録されている印刷ジョブの実行や削除を行う。また、中間データ生成部５０のジョブ制御部５１や、描画処理部６０のジョブ制御部６１から、印刷ジョブの実行状態の通知を受けて、印刷ジョブの実行状態の更新を行っている。
【００３９】
そして、ジョブ管理部４１は、印刷ジョブのジョブＩＤ（識別子）、ファイル名、ページ数等の各種設定情報等の印刷ジョブの属性を示すジョブ情報（属性情報）をジョブ情報記憶部４３に格納している。
【００４０】
このジョブ情報記憶部４３では、ジョブ情報をマップトファイル（メモリマップトファイル）と呼ばれるファイル形式で記憶している。このマップトファイルとは、ファイルデータを仮想記憶空間の連続領域に直接マッピングして記憶する記憶方法であり、ＨＤＤ７１内においてファイル形式で格納されているジョブ情報をリソースとし、ＨＤＤ７１内に格納されているジョブ情報と同内容の情報をジョブ情報記憶部４３に記憶するようになっている。
【００４１】
ただし、ジョブ管理部４１がジョブ情報記憶部４３内のジョブ情報を更新した場合、そのままではＨＤＤ７１内のジョブ情報とジョブ情報記憶部４３内のジョブ情報とは異なる内容となってしまう。
【００４２】
そのため、ジョブ管理部４１は、ＨＤＤ７１内のジョブ情報をジョブ情報記憶部４３内のジョブ情報に一致させるための同期処理を実行する。この同期処理が実行されることにより、ＨＤＤ７１内のジョブ情報とジョブ情報記憶部４３内のジョブ情報とが一致した内容となる。
【００４３】
そして、ジョブ出力部４２は、ジョブ管理部４１の制御に基づいて、印刷ジョブをページ単位で中間データ生成部５０に送信する。
【００４４】
ここで、中間データ生成部５０は、中央処理部４０において受け付けられた印刷ジョブに基づいて中間データ（中間形式の印刷データ）を生成する。また、描画処理部６０は、中間データ生成部５０により生成された中間データをラスタデータ（ラスタ形式の画像データ）に変換する。そして、印刷制御部６５は、描画処理部６０において変換された画像データに基づいて印刷装置３０を制御する。
【００４５】
なお、ラスタ形式の画像データは、描画用の画像データの一例であり、他の形式の画像データを描画用の画像データとするようにしても良い。
【００４６】
中間データ生成部５０では、中央処理部４０から送信されてきたページ単位の印刷ジョブをＲＩＰ処理部５３に転送してＲＩＰ処理を実行させ、中間データ（中間形式の印刷データ）を生成する。
【００４７】
スプール管理部５２では、ＲＩＰ処理部５３において生成された中間データを中間データ格納部５４にスプールデータとして格納して管理する。
【００４８】
そして、中間データ生成部５０から描画処理部６０に中間データが送信されると、描画処理部６０のジョブ制御部６１は、送信されてきた中間データに対してラスタライズ処理部６３によるラスタライズ処理を実行して、ラスタ形式の画像データに変換する。
【００４９】
すると、描画処理部６０のスプール管理部６２は、ラスタライズ処理部６３により変換されたラスタ形式の画像データをラスタデータ格納部６４にスプールデータとして格納して管理する。
【００５０】
そして、ジョブ管理部４１から印刷処理の実行が指示されると、描画処理部６０では、印刷制御部６５から印刷装置３０に対してラスタ形式の画像データがページ毎に送信されて印刷処理が実行される。
【００５１】
なお、図３では、印刷制御部６５が描画処理部６０内に設けられた構成となっているが、印刷制御部６５を描画処理部６０とは独立した構成とすることも可能である。
【００５２】
ここで、ジョブ制御部５１は、中間データ生成部５０においてＲＩＰ処理が実行中であるか否かという状態をジョブ管理部４１に通知している。また、ジョブ制御部６１は、描画処理部６０においてラスタライズ処理が実行中であるか否かという状態をジョブ管理部４１に通知している。
【００５３】
そして、ジョブ管理部４１が、ジョブ制御部５１、６１から受信した状態通知をタスク管理部７０に通知することにより、タスク管理部７０では、システム全体の状態がどのような状態であるかを把握することができるようになっている。具体的には、タスク管理部７０は、ジョブ管理部４１からの状態通知により、中間データ生成部５０のＲＩＰ処理部５３においてＲＩＰ処理が実行中であるか否か、および描画処理部６０のラスタライズ処理部６３においてラスタライズ処理が実行中であるか否かを把握することができるようになっている。
【００５４】
また、ログ情報記憶部７２は、ジョブ制御部５１、６１、スプール管理部５２、６２において各種処理を実行した際の印刷ジョブの処理状態を示すログ情報（履歴情報）を記憶している。
【００５５】
ここで、ログ情報記憶部７２は、揮発性メモリを用いてＨＤＤ等のディクスドライブのような記憶装置を実現するいわゆるＲＡＭディクスとして構成されている。このログ情報の詳細については後述する。
【００５６】
次に、図４のフローチャートを参照して、本実施形態のコントローラ１０の動作を説明する。
【００５７】
中央処理部４０においてジョブ出力部４２がページ単位で印刷ジョブを中間データ生成部５０に送信して（ステップＳ１０１）、ジョブ管理部４１からジョブ制御部５１に対してＲＩＰ処理を依頼すると（ステップＳ１０２）、中間データ生成部５０では、ＲＩＰ処理部５３においてＲＩＰ処理が実行されて中間データが生成される（ステップＳ１０３）。
【００５８】
そして、生成された中間データは中間データ格納部５４にスプールデータとして格納されて、スプール管理部５２は、格納された中間データの管理を行う（ステップＳ１０４）。
【００５９】
そして、中間データ生成部５０から描画処理部６０に中間データが送信され（ステップＳ１０５）、ジョブ管理部４１からジョブ制御部６１に出力指示が送信されると（ステップＳ１０６）、ジョブ制御部６１は印刷処理を開始したことをジョブ管理部４１に通知して、ジョブ管理部４１からタスク管理部７０に対して印刷開始が通知される（ステップＳ１０７）。
【００６０】
すると、描画処理部６０では、ラスタライズ処理部６３により中間データのラスタライズ処理が実行され（ステップＳ１０８）、ラスタデータがラスタデータ格納部６４に格納されてスプール管理部６２により管理される（ステップＳ１０９）。
【００６１】
そして、印刷制御部６５はスプールされているラスタデータを印刷装置３０に転送して印刷処理を実行する（ステップＳ１１０）。
【００６２】
そして、印刷制御部６５は、印刷すべきページのラスタデータがなくなるまで印刷処理を実行し、印刷すべきページのデータがなくなると印刷処理を終了する（ステップＳ１１１）。すると、ジョブ制御部６１からジョブ管理部４１に印刷処理が完了したことが通知され、ジョブ管理部４１からタスク管理部７０に印刷処理の完了が通知される。
【００６３】
なお、ジョブ管理部４１がタスク管理部７０に印刷開始を通知してから、ジョブ管理部４１がタスク管理部７０に印刷処理の完了を通知するまでの期間が、タスク管理部７０が印刷処理を実行中であると判定する期間となる。
【００６４】
［データ保存処理の概要］
なお、本実施形態のコントローラ１０では、高速処理を実現するために、印刷ジョブの属性を表したジョブ情報や、中間データ生成部５０および描画処理部６０における制御に必要なログ情報を、ジョブ情報記憶部４３やログ情報記憶部７２に記憶させて使用している。
【００６５】
しかし、ジョブ情報記憶部４３やログ情報記憶部７２は、揮発性メモリにより構成されており、電源が遮断された場合には、その記憶内容が消去されてしまう。
【００６６】
そのため、システムがシャットダウンされた後に再度起動された場合でも、シャットダウンされる前の元の状態に復帰するために、ジョブ管理部４１およびタスク管理部７０は、シャットダウン前にこれらの情報を不揮発性記憶手段であるＨＤＤ７１に保存する処理を実行する。
【００６７】
具体的には、本実施形態のコントローラ１０では、システムがシャットダウンされる際には、ジョブ管理部４１は、ジョブ情報記憶部４３内に記憶されているジョブ情報と、ＨＤＤ７１内に記憶されているジョブ情報との同期をとる同期処理を行う。また、タスク管理部７０は、ログ情報記憶部７２内に記憶されているログ情報をＨＤＤ７１に退避する処理を行う。
【００６８】
しかし、通常の操作による電源断だけでなく意図しない電源断が発生した場合でも、元の状態に復帰できるように、ジョブ管理部４１およびタスク管理部７０は、通常の電源断の場合以外の場合でも、ジョブ情報記憶部４３内のジョブ情報の同期処理、ログ情報記憶部７２内のログ情報の退避処理を実行する。
【００６９】
なお、このジョブ情報の同期処理およびログ情報の退避処理をまとめてデータの保存処理と称する。以下このデータの保存処理について説明する。
【００７０】
まず、図５を参照して、ＨＤＤ７１に保存（同期・退避）される情報の一覧を示す。
【００７１】
図５を参照すると分かるように、データの保存処理が実行される際には、ジョブ管理部４１は、ジョブ情報記憶部４３内に記憶されているジョブ情報をＨＤＤ７１に保存するとともに、タスク管理部７０は、中間データ生成部５０および描画処理部６０において使用されているログ情報（履歴情報）をＨＤＤ７１に保存する。
【００７２】
ここで、このログ情報は、中間データ生成部５０のジョブ制御部５１において使用され処理中の印刷ジョブの処理状態を示すジョブ制御情報と、描画処理部６０のジョブ制御部６１において使用され処理中の印刷ジョブの処理状態を示すジョブ制御情報と、スプール管理部５２において中間データ格納部５４に格納された中間データを管理するためのデータ管理情報と、スプール管理部６２においてラスタデータ格納部６４に格納されたラスタデータを管理するためのデータ管理情報とから構成されている。
【００７３】
ジョブ制御情報とは、具体的には、何ページまでの処理を実行済みである等の処理中の印刷ジョブの処理状態を示す情報である。また、データ管理情報とは、中間データ格納部５４やラスタデータ格納部６４において中間データやラスタデータを格納している格納場所等を示す情報である。
【００７４】
［データ保存処理の詳細］
ここで、本実施形態におけるジョブ管理部４１およびタスク管理部７０は、ジョブ情報記憶部４３内に記憶されているジョブ情報と、中間データ生成部５０のジョブ制御部５１および描画処理部６０のジョブ制御部６１により記憶されているログ情報を、それぞれ、予め設定された処理の実行後にＨＤＤ７１に保存する。
【００７５】
具体的には、ジョブ管理部４１およびタスク管理部７０は、図６に示すようなタイミングで、ジョブ情報、ジョブ制御情報、データ管理情報をそれぞれ予め設定された処理の実行後にＨＤＤ７１に保存する。
【００７６】
例えば、ジョブ管理部４１は、印刷ジョブがジョブ管理部４１に受付けられた場合（ジョブ追加）、ジョブ管理部４１に受付けられた印刷ジョブが削除された場合（ジョブ削除）、印刷設定内容が更新された場合、または、例えば名称等の印刷ジョブの属性が更新された場合、ジョブ情報記憶部４３に記憶されているジョブ情報をＨＤＤ７１に保存する。
【００７７】
また、ジョブ管理部４１およびタスク管理部７０は、中間データ生成部５０のＲＩＰ処理部５３により中間データが生成された場合、または、生成された中間データが削除された場合、ジョブ情報記憶部４３に記憶されているジョブ情報と、中間データ生成部５０のジョブ制御部５１と、スプール管理部５２により記憶されているログ情報（ジョブ制御情報、データ管理情報）をＨＤＤ７１に保存する。
【００７８】
また、ジョブ管理部４１およびタスク管理部７０は、描画処理部６０のラスタライズ処理部６３によりラスタデータが変換された場合、変換されたラスタデータが削除された場合、または印刷ジョブに基づく印刷処理が完了した場合、ジョブ情報記憶部４３に記憶されているジョブ情報、中間データ生成部５０のジョブ制御部５１とスプール管理部５２により記憶されているログ情報、および描画処理部６０のジョブ制御部６１とスプール管理部６２により記憶されているログ情報をＨＤＤ７１に保存する。
【００７９】
なお、この図６に示したデータ保存のタイミング例では、印刷処理完了後には、タスク管理部７０は、データ管理情報を含む全てのログ情報をＨＤＤ７１に保存している。
【００８０】
しかし、タスク管理部７０は、図７に示すように、印刷ジョブに基づく印刷処理が完了した場合であっても、他の印刷ジョブに基づく印刷処理が連続して実行される場合には、ログ情報のうちジョブ制御情報（ジョブ制御部５１、ジョブ制御部６１）についてはＨＤＤ７１に保存し、データ管理情報（スプール管理部５２、スプール管理部６２）についてはＨＤＤ７１に保存しないようにしても良い。
【００８１】
例えば、図７を参照すると、印刷ジョブ１、２、３が連続して実行される連続ジョブとなっているため、印刷ジョブ１、２の印刷処理の完了後には、ジョブ情報（ジョブ管理部４１）、ジョブ制御情報（ジョブ制御部５１、６１）のみが保存され、データ管理情報（スプール管理部５２、６２）は保存されていないのが分かる。
【００８２】
そして、印刷ジョブ３の印刷処理の完了後には次の印刷ジョブが連続して実行されないため、ジョブ情報（ジョブ管理部４１）、ジョブ制御情報（ジョブ制御部５１、６１）とともに、データ管理情報（スプール管理部５２、６２）も保存されているのが分かる。
【符号の説明】
【００８３】
１０    コントローラ（印刷制御装置）
１１    ＣＰＵ
１２    メモリ
１３    記憶装置
１４    通信インタフェース（ＩＦ）部
１５    ユーザインタフェース（ＵＩ）装置
１６    エンジンインタフェース（ＩＦ）部
１７    制御バス
２０    端末装置
３０    印刷装置
４０    中央処理部
４１    ジョブ管理部
４２    ジョブ出力部
４３    ジョブ情報記憶部
５０    中間データ生成部
５１    ジョブ制御部
５２    スプール管理部
５３    ＲＩＰ（Raster Image Processing）処理部
５４    中間データ格納部
６０    描画処理部
６１    ジョブ制御部
６２    スプール管理部
６３    ラスタライズ処理部
６４    ラスタデータ格納部
６５    印刷制御部
７０    タスク管理部
７１    ＨＤＤ（不揮発性記憶手段）
７２    ログ情報記憶部
【図１】
2017170789.tif 000003
【図２】
2017170789.tif 000004
【図３】
2017170789.tif 000005
【図４】
2017170789.tif 000006
【図５】
2017170789.tif 000007
【図６】
2017170789.tif 000008
【図７】
2017170789.tif 000009